(57)【要約】【課題】ディスクモータにトルクのばらつきがあっても、ディスク加速時間を適切に決定する。【解決手段】ディスク回転速度が正規の回転数近辺まで達することができずにサーボがロックできない場合には、テーブル値を増やしてディスク加速時間を長くし（Ｓ１１２）、サーボロックに成功した場合にはテーブル値を減らしてディスク加速時間を短くする（Ｓ１１３）。これにより、ディスクモータのトルクのバラツキに応じた最適なディスク加速時間を設定することが可能となり、これによってディスクサーボロックまでの不必要な電流が削減し、消費電力を抑制することができる。【選択図】  図２
2005276397.tif 000002
【特許請求の範囲】
【請求項１】
光ディスク、光磁気ディスクを含む各種ディスクに記録されたデータを再生するディスク再生装置であって、
前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調設定手段を備えるディスク再生装置。
【請求項２】
前記ディスク加速時間設定手段は、前記ディスク加速時間を短くした後、更にサーボロック時のディスク回転数を読み込んで正規のディスク回転数との差分を求め、その差分値に基づいて前記ディスク加速時間を微調整する請求項１に記載のディスク再生装置。
【請求項３】
前記ディスク加速時間設定手段は、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる請求項２に記載のディスク再生装置。
【請求項４】
ディスク加速時間を保存する記憶手段と、
電源遮断時にその時点で設定しているディスク加速時間を前記記憶手段に格納し、次回の電源投入時に前記記憶手段に格納した前記ディスク加速時間を前記ディスク加速時間設定手段に与えるデータ保存制御手段と、
を備える請求項１から請求項３のいずれかに記載のディスク再生装置。
【請求項５】
光ディスク、光磁気ディスクを含む各種ディスクに記録されたデータの読み込みを開始する前にディスク加速調整を行うディスク加速調整方法であって、
前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調工程を備えるディスク加速調整方法。
【請求項６】
前記ディスク加速時間調工程では、さらに、前記ディスク加速時間を短くした後、更にサーボロック時のディスク回転数を読み込み、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる請求項５に記載のディスク加速調整方法。
【請求項７】
光ディスク、光磁気ディスクを含む各種ディスクに記録されたデータの読み込みを開始する前にディスク加速調整を行うためのディスク加速調整プログラムであって、
前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調手順をコンピュータに実行させるディスク加速調整プログラム。
【請求項８】
前記ディスク加速時間調手順では、さらに、前記ディスク加速時間を短くした後、更にサーボロック時のディスク回転数を読み込み、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる請求項７に記載のディスク加速調整プログラム。
【発明の詳細な説明】
【技術分野】
【０００１】
本発明は、ＣＤ(Compact Disk)プレーヤ、ＤＶＤ(Digital Versatile Disk)プレーヤ、ＭＯ(Magneto Optical disk)ドライブなどの各種ディスクに記録されたデータの再生を行う電子機器に用いて好適なディスク再生装置及びディスク加速調整方法に関する。
【背景技術】
【０００２】
従来、上述したディスク再生装置においては、ディスクに記録されたデータの読み込みを開始する前にディスク加速調整を行うようにしている。このディスク加速調整においては、ディスク加速終了時に正規の回転数近辺まで到達させる必要がある。
【０００３】
図８は、従来のディスク再生装置のディスク加速調整処理を示すフローチャートである。まずディスク加速時間Ｔ０を設定する（Ｓ８０１）。この時のディスク加速時間Ｔ０は固定値（例えば１秒）であり、変更されることはない。ディスク加速時間Ｔ０を設定した後、ディスクモータの加速を開始する（Ｓ８０２）。そして、ディスク加速開始時からの経過時間Ｔをカウントし（Ｓ８０３）、１秒を経過したかどうか判定する（Ｓ８０４）。１秒を経過していない場合（Ｓ８０４のＮｏの場合）はＳ８０３に戻り、１秒を経過した場合（Ｓ８０４のＹｅｓの場合）は、ディスクモータの加速を停止する（Ｓ８０５）。ディスクモータの加速を停止した後、全てのサーボをオンする（Ｓ８０６）。次いで、全てのサーボがロックしているかどうかを判定し（Ｓ８０７）、ロックがされていない場合はＳ８０１に戻り、ロックされている場合はディスクの読み込み処理を開始する（Ｓ８０８）。
【０００４】
このように従来のディスク加速調整方法は、予めディスク加速時間を固定値にしておき、ディスク加速開始時からの経過時間Ｔが当該固定値を経過したときにディスクモータの加速を停止する。そして、ディスクモータの加速度停止後、サーボがロックされていればディスクの読み込みを開始する。以上が従来のディスク再生装置のディスク加速調整方法である。
【０００５】
なお、ディスクの定常状態における線速度偏差の発生を防ぐ方法として、位相誤差をディスクモータに帰還させるようにしたものが提案されている（例えば特許文献１参照）。
【０００６】
【特許文献１】国際公開番号（ＷＯ１９９６／０２７８８１）
【発明の開示】
【発明が解決しようとする課題】
【０００７】
しかしながら、従来のディスク再生装置のディスク加速調整方法においては、次のような問題がある。
近年、ポータブル用途のディスク再生装置の薄型化により、厚さの薄いディスク機構が採用され始めている。この厚さの薄いディスク機構には薄型ディスクモータが搭載されており、以前の厚みのあるモータと比較するとトルクのばらつきが大きく、従来のディスク加速方法ではトルクのばらつきに対応できなくなってきている。
【０００８】
上述した従来のディスク加速調整方法では、ディスク加速時間を固定値にしているため、ディスクモータのトルクのばらつきによって例えばディスク加速開始時からの経過時間が所定の時間に達したときのディスク回転数が正規の回転数と大幅にずれていた場合には、サーボロックまで加速と減速を繰り返すことになり、その間不必要な電流をディスクモータで消費するため、消費電流が増大してしまう。
【０００９】
本発明は係る事情に鑑みてなされたものであり、ディスクモータにトルクのばらつきがあっても、ディスク加速時間を適切に決定することができるディスク再生装置及びディスク加速調整方法を提供することを目的とする。
【課題を解決するための手段】
【００１０】
上記目的は下記構成又は方法により達成される。
（１）  光ディスク、光磁気ディスクを含む各種ディスクに記録されたデータを再生するディスク再生装置であって、前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調設定を備える。
【００１１】
（２）  上記（１）に記載のディスク再生装置において、前記ディスク加速時間設定手段は、前記ディスク加速時間を短くした後、更にサーボロック時のディスク回転数を読み込んで正規のディスク回転数との差分を求め、その差分値に基づいて前記ディスク加速時間を微調整する。
【００１２】
（３）  上記（２）に記載のディスク再生装置において、前記ディスク加速時間設定手段は、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる。
【００１３】
（４）  上記（１）から（３）のいずれかに記載のディスク再生装置において、ディスク加速時間を保存する記憶手段と、電源遮断時にその時点で設定しているディスク加速時間を前記記憶手段に格納し、次回の電源投入時に前記記憶手段に格納した前記ディスク加速時間を前記ディスク加速時間設定手段に与えるデータ保存制御手段とを備える。
【００１４】
（５）  光ディスク、光磁気ディスクを含む各種ディスクに記録されたデータの読み込みを開始する前にディスク加速調整を行うディスク加速調整方法であって、前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調工程を備える。
【００１５】
（６）  上記（５）に記載のディスク加速調整方法において、前記ディスク加速時間調工程では、さらに、前記ディスク加速時間を短くした後、更にサーボロック時のディスク回転数を読み込み、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる。
【００１６】
（７）  光ディスク、光磁気ディスクを含む各種ディスクに記録されたデータの読み込みを開始する前にディスク加速調整を行うディスク加速調整プログラムであって、前記ディスクの回転起動時から、現時点で設定されているディスク加速時間の加速でサーボロックしなかった場合、前記ディスク加速時間を長くし、その後にサーボロックした場合に前記ディスク加速時間を短くするディスク加速時間調手順をコンピュータに実行させる。
【００１７】
（８）  上記（７）に記載のディスク加速調整プログラムにおいて、前記ディスク加速時間調手順では、さらに、前記ディスク加速時間を短くした後、更にサーボロック時のディスク回転数を読み込み、読み込んだ現在のディスク回転数と正規のディスク回転数とを比較し、前記正規のディスク回転数以下の場合は前記ディスク加速時間を増加させ、前記正規のディスク回転数を超える場合は前記ディスク加速時間を減少させる。
【発明の効果】
【００１８】
上記（１）に記載のディスク再生装置では、ディスク回転起動からサーボがロックしなかった場合、ディスク加速時間を長くし、その後、サーボロックした場合にディスク加速時間を短くするので、ディスクモータのトルクにばらつきがあっても、ディスク加速時間が適切な値に設定される。これにより、サーボロックするまで加速と減速の繰り返す動作が最小限に抑えられるので、不必要な電流消費が減少し、消費電力の低減が図れる。
【００１９】
なお、ディスク加速時間の増加する方法としては、例えば、設定されたディスク加速時間を乗算するか、あるいは一定時間を加算する方法が挙げられる。また、ディスク加速時間を減少させる方法としては、例えば、設定されたディスク加速時間を整数で除算するか、あるいは一定時間で減算する方法が挙げられる。
【００２０】
上記（２）又は（３）に記載のディスク再生装置では、ディスク加速時間を短くした後、更にサーボロック時のディスク回転数を読み込んで正規のディスク回転数との差分を求め、その差分値に基づいてディスク加速時間を微調整するので、ディスク加速時間が更に高精度で設定される。これにより、サーボロックするまで加速と減速の繰り返す動作が更に低く抑えられるので、さらに消費電力の低減が図れる。
【００２１】
上記（４）に記載のディスク再生装置では、電源遮断時にその時点で設定しているディスク加速時間を保存し、次回の電源投入時にディスク加速時間として用いるので、早期の起動が可能となる。すなわち、起動時間の短縮化が図れる。
【００２２】
上記（５）に記載のディスク加速調整方法では、ディスク回転起動からサーボがロックしなかった場合、ディスク加速時間を長くし、その後、サーボロックした場合にディスク加速時間を短くするので、ディスクモータのトルクにばらつきがあっても、ディスク加速時間を適切な値に設定できる。これにより、サーボロックするまで加速と減速の繰り返す動作を最小限に抑えることができるので、不必要な電流消費が減少し、消費電力の低減が図れる。
【００２３】
上記（６）に記載のディスク加速調整方法では、ディスク加速時間を短くした後、更にサーボロック時のディスク回転数を読み込んで正規のディスク回転数との差分を求め、その差分値に基づいてディスク加速時間を微調整するので、ディスク加速時間を更に高精度で設定することができる。これにより、サーボロックするまで加速と減速の繰り返す動作を更に低く抑えることができ、更なる消費電力の低減が図れる。
【００２４】
上記（７）に記載のディスク加速調整プログラムでは、ディスク回転起動からサーボがロックしなかった場合、ディスク加速時間を長くし、その後、サーボロックした場合にディスク加速時間を短くするので、ディスクモータのトルクにばらつきがあっても、ディスク加速時間を適切な値に設定できる。これにより、サーボロックするまで加速と減速の繰り返す動作を最小限に抑えることができるので、不必要な電流消費が減少し、消費電力の低減が図れる。
【００２５】
上記（８）に記載のディスク加速調整プログラムでは、ディスク加速時間を短くした後、更にサーボロック時のディスク回転数を読み込んで正規のディスク回転数との差分を求め、その差分値に基づいてディスク加速時間を微調整するので、ディスク加速時間を更に高精度で設定することができる。これにより、サーボロックするまで加速と減速の繰り返す動作を更に低く抑えることができ、更なる消費電力の低減が図れる。
【発明を実施するための最良の形態】
【００２６】
以下、本発明を実施するための好適な実施の形態について、図面を参照して詳細に説明する。
【００２７】
（実施の形態１）
図１は、本発明の実施の形態１に係るディスク再生装置の構成を示すブロック図である。この実施の形態のディスク再生装置は、光ピックアップ１０と、光ピックアップ１０を駆動するドライバ１１と、光ピックアップ１０からの信号を増幅するＲＦアンプ１２と、ドライバ１１を制御するとともにＲＦアンプ１２からの信号を処理するサーボ＆信号処理ＬＳＩ１３と、サーボ＆信号処理ＬＳＩ１３で使用されるバッファメモリ１４と、サーボ＆信号処理ＬＳＩ１３を制御するマイコン１５と、マイコン１５で使用される書き換え可能なフラッシュメモリ等の不揮発性外部メモリ１６とを備えている。なお、マイコン１５は、ディスク加速時間調設定手段とデータ保存制御手段に対応する。また、不揮発性メモリ１６は、記憶手段に対応する。
【００２８】
このような構成のディスク再生装置において、まずドライバ１１による駆動によりピックアップ１０からディスク２０にレーザが照射される。ディスク２０に照射されたレーザ光はディスク２０で反射され、その反射光がピックアップ１０に入射する。光ピックアップ１０は、入射された反射光を電気信号に変換してＲＦアンプ１２に入力する。ＲＦアンプ１２は、入力された電気信号を元にフォーカスエラー信号、トラッキングエラー信号、ＲＦ信号を生成し、これらの信号をサーボ＆信号処理ＬＳＩ１３に入力する。
【００２９】
サーボ＆信号処理ＬＳＩ１３は、ＲＦアンプ１２から入力されたフォーカスエラー信号よりフォーカスサーボ処理を行い、ドライバ１１を通じて制御信号を増幅し、光ピックアップ１０内の図示せぬフォーカスアクチュエータを制御してフォーカス制御を行う。また、ＲＦアンプ１２から入力されたトラッキングエラー信号よりトラッキングサーボ処理を行い、ドライバ１１を通じて制御信号を増幅し、光ピックアップ１０内の図示せぬトラッキングアクチュエータを制御してトラッキング制御を行う。また、サーボ＆信号処理ＬＳＩ１３は、ＰＬＬにより生成した同期信号によりＣＬＶ(Constant Linear Velocity;線速度一定)サーボ処理を行い、ドライバ１１を通じて図示せぬディスクモータを駆動してディスクサーボ処理を行う。
【００３０】
また、サーボ＆信号処理ＬＳＩ１３は、ＲＦアンプ１２から入力されたＲＦ信号をサンプリングしてオーディオ信号を復調しバッファメモリ１４に格納する。また同時にバッファメモリ１４に格納されているオーディオ信号データを読み出し、ＤＡＣ(Digital to Analog Converter)にてアナログ音声に変換して出力する。なお、バッファメモリ１４に格納するオーディオ信号を一旦ＡＤＰＣＭ(Adaptive Differential Pulse Code;適応的差分ＰＣＭ)等で符号化し、読出し時に復調する場合もある。
【００３１】
次に、図２に示すフローチャートを参照して、この実施の形態のディスク再生装置によるディスク加速調整処理について説明する。
スタート後、ディスク加速時間を設定する（Ｓ１０１）。このときのディスク加速時間を「Ｓ０」とする。このディスク加速時間Ｓ０はテーブル値により設定され、電源起動後の初回は固定値となり、２回目以降は以下の手順により設定される。ここで、初回時のディスク加速時間の設定値を１秒とする。なお、テーブル値は例えばマイコン１５内のＲＡＭ領域に格納される。
【００３２】
ディスク加速時間を設定した後、ディスク加速を開始し（Ｓ１０２）、さらにフォーカス制御をオンする（Ｓ１０３）。そして、ディスク加速開始からの経過時間Ｓ１及びフォーカス制御をオンしてからの経過時間Ｆ０をカウントする（Ｓ１０４）。次いで、フォーカスロックしたかどうか判定し（Ｓ１０５）、フォーカスロックしている場合（Ｓ１０５のＹｅｓの場合）は、フォーカスロック経過時間Ｆ０のカウントを停止する（Ｓ１０６）。フォーカスロックしていない場合（Ｓ１０５のＮｏの場合）又はフォーカスロックしてフォーカスロック経過時間Ｆ０のカウントを停止した場合（Ｓ１０６）、ディスク加速時間の経過を判定する（Ｓ１０７）。
【００３３】
Ｓ１０７では、計測されたディスク加速時間Ｓ１が、設定されたディスク加速時間Ｓ０を超えていればディスクの加速を停止し（Ｓ１０８）、ディスク加速時間Ｓ１がディスク加速時間Ｓ０を超えていなければＳ１０４に戻る。
【００３４】
ディスク加速時間Ｓ１がディスク加速時間Ｓ０を超えてディスク加速を停止すると、全てのサーボ制御をオンする（Ｓ１０９）。そして、全サーボがロックしているかどうかを判定し（Ｓ１１０）、全サーボがロックしていない場合（Ｓ１１０のＮｏの場合）は、ディスク加速時間Ｓ０に一定値（本実施の形態では「２」）を乗算して、再度ディスク加速を行う（Ｓ１０２）。これに対して、全サーボがロックしている場合（Ｓ１１０のＹｅｓの場合）はディスク２０の読み込みを開始する（Ｓ１１１）。ディスク２０の読み込みを開始した後、ディスク加速時間Ｓ０を一定値（本実施の形態では「１．５」）で除算する（Ｓ１１３）。
【００３５】
２回目以降のディスク加速においては、上記の一定値を乗算あるいは除算することで最適化したテーブル値（例えば「２」又は「１．５」）によってディスク加速時間を設定する。このテーブル値は、上述したようにマイコン１５内のＲＡＭ領域に格納される。このときフォーカスロック時間に対応させて格納される。したがって、次回は、マイコン１５内のＲＡＭ領域から、該フォーカスロック時間に対応するテーブル値が読み出され、初期値のディスク加速時間の調整に用いられる。
【００３６】
このように、本実施の形態のディスク再生装置によれば、ディスク回転速度が正規の回転数近辺まで達することができずにサーボがロックできない場合には、テーブル値を増やしてディスク加速時間を長くし、サーボロックに成功した場合にはテーブル値を減らしてディスク加速時間を短くする。
【００３７】
したがって、ディスクモータのトルクのバラツキに応じた最適なディスク加速時間を設定することが可能となり、これによってディスクサーボロックまでの不必要な電流が削減し、消費電力を抑制することができる。延いてはディスク再生装置を電池で駆動する場合の再生時間を長くすることができる。
【００３８】
なお、本実施の形態においては、サーボがロックしない場合はディスク加速時間に一定値を乗算し、サーボがロックしている場合は一定値を除算しているが、図３のフローチャートに示すように、サーボがロックしない場合（Ｓ２１０のＮｏの場合）はディスク加速時間に一定値（ｉ１）を加算し（Ｓ２１２）、サーボがロックしている場合は一定値（ｉ２）を減算するようにしても良い（Ｓ２１３）。
図３に示す処理はディスク加速時間を変更する方法が異なる以外は、図２に示す処理と同様であるので、ディスク加速時間変更処理以外の処理については説明を省略する。
【００３９】
（実施の形態２）
次に、図４及び図５に示すフローチャートを参照しながら、本発明の実施の形態２に係るディスク再生装置のディスク加速調整処理について説明する。なお、本実施の形態に係るディスク再生装置の構成は上述した実施の形態１に係るディスク再生装置と同様であるので、図は省略する。
【００４０】
スタート後、ディスク加速時間Ｓ０を設定する（Ｓ３０１）。このディスク加速時間Ｓ０はテーブル値によって設定され、電源起動後の初回は固定値（本実施の形態において１秒）となり、２回目以降は以下の手順により設定される。
【００４１】
ディスク加速時間Ｓ０を設定した後、ディスク加速を開始し（Ｓ３０２）、フォーカス制御をオンする（Ｓ３０３）。そして、ディスク加速開始からの経過時間Ｓ１及びフォーカス制御をオンしてからの経過時間Ｆ０をカウントする（Ｓ３０４）。次いで、フォーカスロックしたかどうか判定し（Ｓ３０５）、フォーカスロックしている場合（Ｓ３０５のＹｅｓの場合）は、フォーカスロック経過時間Ｆ０のカウントを停止し（Ｓ３０６）、ディスク加速時間の経過を判定する（Ｓ３０７）。これに対して、Ｓ３０５の判定において、フォーカスがロックしていない場合（Ｓ３０５のＮｏの場合）はそのままＳ３０７に移行する。
【００４２】
Ｓ３０７ではディスク加速時間Ｓ１がディスク加速時間Ｓ０（１秒）を超えていればディスク加速を停止し（Ｓ３０８）、ディスク加速時間Ｓ１がディスク加速時間Ｓ０を超えていなければＳ３０４に戻る。Ｓ３０８でディスク加速を停止した後、全てのサーボ制御をオンする（Ｓ３０９）。その後、全てのサーボがロックしているかどうかを判定し（Ｓ３１０）、全サーボのロックが未だである場合（Ｓ３１０のＮｏの場合）は、ディスク加速時間Ｓ０に一定値（ｉ１）を加算して（Ｓ３１２）、再度ディスク加速を行う（Ｓ３０２）。これに対して、全サーボがロックしている場合（Ｓ３１０のＹｅｓの場合）はディスクの読み込みを開始する（Ｓ３１１）。ディスクの読み込み開始後、ディスク加速時間Ｓ０から一定値（ｉ２）を減算する（Ｓ３１３）。
【００４３】
ディスク加速時間Ｓ０から一定値（ｉ２）を減算した後、現在のディスク回転数Ｋ０を読み込む（Ｓ３１４）。そして、現在のディスク回転数Ｋ０が正規回転数Ｋ１以下であるかどうか判定する（Ｓ３１５）。現在のディスク回転数Ｋ０が正規回転数Ｋ１以下である場合即ち正規回転数Ｋ１≧Ｋ０の場合は、正規回転数Ｋ１から現在のディスク回転数Ｋ０を減算した誤差Ｇ０を求める（Ｓ３１６）。そして、誤差Ｇ０よりテーブル値（ｉ３）を決定し、その値（ｉ３）をディスク加速時間Ｓ０に加算する（Ｓ３１８）。これに対して、Ｓ３１５の判定において、現在のディスク回転数Ｋ０が正規回転数Ｋ１を超える場合即ち正規回転数Ｋ１＜Ｋ０の場合は、現在のディスク回転数Ｋ０から正規回転数Ｋ１を減算した誤差Ｇ０を求める（Ｓ３１７）。そして、誤差Ｇ０よりテーブル値（ｉ４）を決定し、ディスク加速時間Ｓ０からテーブル値（ｉ４）を減算する（Ｓ３１９）。
【００４４】
このように、本実施の形態のディスク再生装置によれば、現在のディスク回転速度が正規の回転数近辺まで達することができずにサーボがロックできない場合には、テーブル値を増やしてディスク加速時間を長くし、サーボがロックできた場合には、テーブル設定値を減らしてディスク加速時間を短くする
【００４５】
したがって、サーボがロックされない場合であっても、ディスクモータのトルクのバラツキに応じた最適なディスク加速時間を設定することができるので、ディスクサーボロックまでの不必要な電流が削減し、消費電力を抑制することができる。
【００４６】
また、サーボロックに成功した場合であっても、正規に設定した回転時間を超えていたり、超えていなかったりする場合があり得るが、本実施の形態ではこのような場合であってもディスク加速時間を微調整するので、さらに最適ディスク加速時間を設定することができる。
【００４７】
なお、本実施の形態において、サーボがロックしない場合はディスク加速時間に一定値を乗算し、サーボがロックしている場合は一定値を除算しても良いことは言うまでもない。
【００４８】
（実施の形態３）
次に、図６及び図７に示すフローチャートを参照しながら、本発明の実施の形態３に係るディスク再生装置のディスク加速調整処理について説明する。なお、本実施の形態に係るディスク再生装置の構成は上述した実施の形態１に係るディスク再生装置と同様であるので、図は省略する。
【００４９】
本実施の形態のディスク再生装置は、電源投入による起動時に不揮発性外部メモリ１６からディスク加速時間Ｓ０を読み込み（Ｓ４０１）、電源遮断時にはその時点で設定されているディスク加速時間を不揮発性外部メモリ１６に格納するようにしたものであり、その他の処理は上述した実施の形態２と同様であるので説明を省略する。
【００５０】
本実施の形態のディスク再生装置は、上述した実施の形態２のディスク再生装置と同様の効果を得ることができる他、前回の動作時に学習したディスク加速時間を電源遮断時に不揮発性外部メモリ１６に保存しておくので、２回目以降の起動時に、短時間で最適なディスク加速時間を設定することができる。
【００５１】
なお、本実施の形態において、サーボがロックしない場合はディスク加速時間に一定値を乗算し、サーボがロックしている場合は一定値を除算しても良いことは言うまでもない。
【産業上の利用可能性】
【００５２】
本発明のディスク再生装置及びディスク加速調整方法は、ディスク回転起動からサーボがロックしなかった場合、ディスク加速時間を長くし、その後、サーボロックした場合にディスク加速時間を短くするので、ディスクモータのトルクにばらつきがあっても、ディスク加速時間が適切な値に設定される。これにより、サーボロックするまで加速と減速の繰り返す動作が最小限に抑えられるので、不必要な電流消費が減少し、消費電力の低減が図れるという効果を有し、ＣＤ(Compact Disk)プレーヤ、ＤＶＤ(Digital Versatile Disk)プレーヤ、ＭＯ(Magneto Optical disk)ドライブなどの各種ディスクに記録されたデータの再生を行う電子機器に用いて好適なディスク再生装置及びディスク加速調整方法等として有用である。
【図面の簡単な説明】
【００５３】
【図１】本発明の実施の形態１に係るディスク再生装置の概略構成を示すブロック図
【図２】図１のディスク再生装置のディスク加速調整処理を示すフローチャート
【図３】本発明の実施の形態２に係るディスク再生装置のディスク加速調整処理を示すフローチャート
【図４】本発明の実施の形態３に係るディスク再生装置のディスク加速調整処理を示すフローチャート
【図５】本発明の実施の形態３に係るディスク再生装置のディスク加速調整処理を示すフローチャート
【図６】本発明の実施の形態４に係るディスク再生装置のディスク加速調整処理を示すフローチャート
【図７】本発明の実施の形態４に係るディスク再生装置のディスク加速調整処理を示すフローチャート
【図８】従来のディスク再生装置のディスク加速調整処理を示すフローチャート
【符号の説明】
【００５４】
１  ディスク再生装置
１０  光ピックアップ
１１  ドライバ
１２  ＲＦアンプ
１３  サーボ＆信号処理ＬＳＩ
１４  バッファメモリ
１５  マイコン
１６  不揮発性外部メモリ
２０  ディスク
【図１】
2005276397.tif 000003
【図２】
2005276397.tif 000004
【図３】
2005276397.tif 000005
【図４】
2005276397.tif 000006
【図５】
2005276397.tif 000007
【図６】
2005276397.tif 000008
【図７】
2005276397.tif 000009
【図８】
2005276397.tif 000010